(57)【要約】      （修正有）【課題】梯子を使用する勾配に依って自然と階段に変化する、携帯用の梯子兼階段である。【解決手段】格子状の梯子２本縦に並べ立て、横桟同士を板材で剛接合、縦桟と横はピン接合とし、抜け止めにリングピンで固定する事で、ピン接合の４角形の段数を組むことで、踏み板付きの梯子から、傾く事で階段に変わり、倒れる角度の任意の位置で踏み板の水平度、及び倒れ防止用の鎖で固定し、設置する地面の水平を必要としない梯子兼階段となる。【選択図】図１
0003122179.tif 000002
【実用新案登録請求の範囲】
【請求項１】
従来の梯子を改良し、人間の行動が梯子よりも安全に、且つ敏速に行動出来る多用途な携帯用折畳み梯子兼階段で、備品を取り付けると、用途が依り多くなり仮設の階段、または橋にも、一般の急勾配の長い物、又短い階段は、必要な長さで切断して、任意の勾配に、既存の階段を解体する事無く、短時間で暖勾配に改造する事が出来、蹴上、踏面、幅、長さは適時とすることで制限しない。
【考案の詳細な説明】
【技術分野】
【０００１】  本考案は、折畳みの出来る、梯子、兼使用する角度に制約のない階段である。
【背景技術】
【０００２】  仮設で人間が、高所、低所への移動手段は主に梯子だけであった。
【考案の開示】
【考案が解決しようとする課題】
【０００３】  梯子で人間が移動するのには、梯子の使用する角度に限度があり、踏み桟は細くて安定せず恐怖心も有り移動速度が遅く、昇降時には手助けも出来ずロープ等を使用していたのを解決しようとするものである。
【課題を解決する為の手段】
【０００４】  本考案は、梯子状の格子を２本立てた状態で直列に並べ、梯子の縦桟と横桟は固定せず、前後の横桟を踏み板で固定、横桟は縦桟から抜けないよう、リングピンで留めることで、ピン接合の４角形となる。数多く段数を組む事で外観は梯子状となり、４本の縦桟は下端を支点に、前後には移動するが、左右には移動しない構造となる事で，踏み桟が一本の梯子状態から踏み板付きの梯子となり、倒立角度が後方に倒れるにつれて、階段状に変化する事となる、依って梯子兼階段となり、且つ水平に成る事で折り畳み完了になる。
当案件は、下部及び上部を基準に使用する事では、梯子と成り、階段の勾配が変化するので、使用する場所で使い別ける事とする。
幅  蹴上、踏面の寸法は適時とし、図−Ｐ−２は正方形、図−Ｐ−３は縦長方形で階段の変化を示す。
【考案の効果】
【０００５】  上記の様に、梯子から階段にもなる事で、足場が確保され、恐怖心も無く、敏速且つ、安全に行動する事で、避難、救助も短時間に行う事が出来る。直列、又は、並列に使う事で、移動効率が依りよくなり、備品の手摺材等を取り付けることで依り安全に、依り速く行動する事が容易となる。
【考案を実施するための最良の形態】
【０００６】  上述の様に階段にもなり手摺も取り付ける事で依り安全に且つ中空の横桟に、通ピンの両端にフック付け、鎖で十字に前後の立て桟の両側を、適時の上端、下端をロックする事で踏み板の水平を確保する、依って接地面を限定しない。本案は、非常時に限らず、日常の生活にも、長尺な本案件を所要の長さに切断し、急勾配の階段を解体せずに短時間で、暖勾配に変更する事も出来る。又、反転し備品の折り畳み式のブレースで補強すると凹部の渡橋にも使用できる。図に示す。
【実施例】
【０００７】  以下、用途別に図に従って実施例を説明する。
図−Ａ  梯子としての立面
１−縦桟  横桟に固定しない
２−横桟  縦桟に固定しない
３−踏み板  横桟に固定する
４−通しピンに依る安全ロック用鎖  踏み板の水平確保の為の、前後倒れ移動防止。【０００８】  図−Ｂ  階段としての用途
５−手摺の支柱、上端は鎖を挟み移動防止。
６−支柱止め、端部をＦ型加工し横桟に差込上部はスライドし挟み、締め付けロックする。
７−手摺用鎖。
８−手摺用鎖緊張の為のタンバックル。
９−自在フック  頂部固定用。
１０−転倒防止パイプ【０００９】  図−Ｃ  折畳んだ状態の梯子兼階段。【００１０】  図−Ｄ  凹部使用時の渡橋状態。
１０  補強用折り畳みブレース。【００１１】  図−Ｅ  既存階段の改造。  急勾配から暖勾配に，即改造出来る。
【図面の簡単な説明】
【００１２】  本考案は１単体の用途に限らないので、上記図−Ａ〜Ｅまでを、用途別に示す。
【符号の説明】
【００１３】  上記に，用途別に別け、名称、働きを、上記、図Ａ〜Ｅに示す。
0003122179.tif 000003
0003122179.tif 000004
0003122179.tif 000005
【手続補正書】
【提出日】平成18年1月26日(2006.1.26)
【手続補正１】
【補正対象書類名】実用新案登録請求の範囲
【補正対象項目名】全文
【補正方法】変更
【補正の内容】
【実用新案登録請求の範囲】
【請求項１】
同じ形で格子状の梯子２本を縦に並べ立て、左右の横桟同士を板材で、剛接合し横桟と縦桟は、ピン接合とする事で、左、又は右に傾ける事で、側面からは、傾く角度で、梯子から階段に変わり、水平時には１枚に畳める構造を有する、携帯用梯子、兼折畳み式階段。
【手続補正３】
【補正対象書類名】明細書
【補正対象項目名】０００４
【補正方法】変更
【補正の内容】
【０００４】  本考案は、格子状の梯子２本縦に並べ立て、横桟同士を板材で剛接合、縦桟と横はピン接合とし、抜け止めにリングピンで固定する事で、ピン接合の４角形の段数を組む事で、踏み板付きの梯子から、傾く事で階段に変わり、倒れる角度の任意の位置で踏み板の水平度、及び倒れ防止用の鎖で固定し、設置する地面の水平を必要としない梯子兼階段となる。
【手続補正４】
【補正対象書類名】明細書
【補正対象項目名】０００７
【補正方法】変更
【補正の内容】
【０００７】以下、用途別に図に依る符号の説明。
図１  梯子としての立面
▲１▼  縦桟  横桟に固定しない
▲２▼  横桟  縦桟に固定しない
▲３▼  踏み板  横桟に固定する
▲４▼  通しピンに依る安全ロック用鎖  踏み板の水平確保の為、前後倒れ防止。
【手続補正５】
【補正対象書類名】明細書
【補正対象項目名】０００８
【補正方法】変更
【補正の内容】
【０００８】図２  階段としての用途
▲５▼  手摺の支柱  下部をＦ型加工、上部をＵ字加工、鎖移動防止。
▲６▼  支柱  縦桟２本を挟み、締め付け、ロックする。
▲７▼  手摺用鎖。
▲８▼  手摺用鎖緊張のタンバックル。
▲９▼  自在フック  頂部固定用。
▲１０▼  転倒防止パイプ。
【手続補正６】
【補正対象書類名】明細書
【補正対象項目名】０００９
【補正方法】変更
【補正の内容】
【０００９】図３  折畳んだ状態の梯子兼階段。
【手続補正７】
【補正対象書類名】明細書
【補正対象項目名】００１０
【補正方法】変更
【補正の内容】
【００１０】図４  凹部使用時の渡橋状態。
▲１１▼  補強用折り畳みブレース。
【手続補正８】
【補正対象書類名】明細書
【補正対象項目名】００１１
【補正方法】変更
【補正の内容】
【００１１】図５  既存階段の改造、急勾配から暖勾配に、即改造出来る。
【手続補正９】
【補正対象書類名】明細書
【補正対象項目名】００１２
【補正方法】変更
【補正の内容】
【００１２】
【図１】  梯子用途立面図
【図２】  階段用途立面図
【図３】  折畳状態梯子兼階段側面図
【図４】  渡橋状態側面図
【図５】  階段改造側面図
【図６】  正方形の階段変化側面図
【図７】  縦長方形の階段変化側面図
【手続補正１０】
【補正対象書類名】明細書
【補正対象項目名】００１３
【補正方法】削除
【補正の内容】
【手続補正１２】
【補正対象書類名】図面
【補正対象項目名】全図
【補正方法】変更
【補正の内容】
【図１】
0003122179.tif 000006
【図２】
0003122179.tif 000007
【図３】
0003122179.tif 000008
【図４】
0003122179.tif 000009
【図５】
0003122179.tif 000010
【図６】
0003122179.tif 000011
【図７】
0003122179.tif 000012